(57)【要約】      （修正有）【課題】インパクトがありメッセージを強く印象付けることができる斬新で宣伝広告効果が高いディスプレイ装置を提供する。【解決手段】一端部に厚さ方向開口部を有すると共に表面部側にはディスプレイ開口部が形成された薄型袋状部と、上記薄型袋状部内に、上記厚さ方向開口部から外方へ引き出し可能に収納されるスライド片部とを有し、上記薄型袋状部内には厚さ方向中間部に、上記ディスプレイ開口部を被覆しうる被覆片部が設けられ、上記スライド片部は、上記被覆片部と厚さ方向における反ディスプレイ開口部側の袋状部構成部材との間に配置される基片部と、上記基片部の引き出し方向先端部側に固定され、上記被覆片部と上記ディスプレイ開口部との間に配置される透明シート部とを有し、上記透明シート部の引き出し方向一端部側には第一のディスプレイ表現が記載されると共に、上記基片部の引き出し方向他端部側には第二のディスプレイ表現が記載されている。【選択図】図５
0003132784.tif 000002
【実用新案登録請求の範囲】
【請求項１】
一端部に厚さ方向開口部を有すると共に表面部側にはディスプレイ開口部が形成された薄型袋状部と、上記薄型袋状部内に、上記厚さ方向開口部から外方へ引き出し可能に収納されるスライド片部とを有し、
上記薄型袋状部内には厚さ方向中間部に、上記ディスプレイ開口部を被覆しうる被覆片部が設けられ、
上記スライド片部は、上記被覆片部と厚さ方向における反ディスプレイ開口部側の袋状部構成部材との間に配置される基片部と、上記基片部の引き出し方向先端部側に固定され、上記被覆片部と上記ディスプレイ開口部との間に配置される透明シート部とを有し、
上記透明シート部の引き出し方向一端部側には第一のディスプレイ表現が記載されると共に、上記基片部の引き出し方向他端部側には第二のディスプレイ表現が記載されていることを特徴とするディスプレイ装置。
【請求項２】
上記薄型袋状部は平面長方形状に形成されると共に上記ディスプレイ開口部も平面長方形状に形成され、上記スライド片部も長方形状に形成されていることを特徴とする請求項１記載のディスプレイ装置。
【請求項３】
上記第一のディスプレイ表現と上記第二のディスプレイ表現とは、相互に関連する内容が記載されていることを特徴とする請求項１または２いずれか１項に記載のディスプレイ装置。
【請求項４】
上記第一のディスプレイ表現は上記透明シート部の引き出し方向後端部側に折れ線グラフの所定部位までが記載されると共に、上記第二のディスプレイ表現は、上記基片部の引き出し方向先端部側に上記所定部位に連続する折れ線グラフが記載されていることを特徴とする請求項３記載のディスプレイ装置。
【請求項５】
上記ディスプレイ開口部の端部に、上記スライド片部の把持部を把持しうる切り欠き部を有することを特徴する請求項１〜４のいずれか１項に記載のディスプレイ装置。
【請求項６】
上記基片部は、上記スライド片部が引き出された場合に、上記厚さ方向開口部の両端に係合しうるストッパ部が形成されることを特徴とする請求項１〜５のいずれか１項に記載のディスプレイ装置。
【請求項７】
上記薄型袋体部と、上記基片部は厚紙により形成されていることを特徴とする請求項１〜６のいずれか１項に記載のディスプレイ装置。
【考案の詳細な説明】
【技術分野】
【０００１】
本考案は、ディスプレイ装置に係り、特に、薄型状であると共にスライド片をスライドさせることによって、ディスプレイ表現を変化させうるディスプレイ装置に関する。
【背景技術】
【０００２】
ポスターやノベルティ商品やダイレクトメールによる宣伝広告が盛んに行われているが、一般的には平面的なポスターによるものや、動きのない大掛かりなものを展示するものや、ノベルティ商品等の配布、扁平なカード片に印刷を施したダイレクトメールによる郵送等で行われており、インパクトのある絵柄や図形などをポスターやノベルティ商品等に施したり単に大型化してもメッセージを強く印象付けさせることは困難であり、宣伝広告効果は低かった。
このため、インパクトがありメッセージを強く印象付けることができる斬新で宣伝広告効果の高いディスプレイ装置の提供が望まれている。
そこで、斬新なアイデアを広告媒体に施すことによって意外性と不思議感を与え、驚きを与えることで、宣伝広告効果を高めようとする試みがある。
このような試みの中で、ディスプレイ表現を変化させる要素を盛り込み、視覚的に意外性と不思議感、驚きを与えことで、宣伝広告効果を高めることができるディスプレイ装置の提供が望まれている。
また、ディスプレイ表現を変化させる要素を盛り込むことで構成が複雑化したり、大型化すると費用が嵩む可能性がある。
このため、宣伝広告費用等を節約して高い宣伝広告効果をうる宣伝広告媒体の提供が望まれる。
【考案の開示】
【考案が解決しようとする課題】
【０００３】
本考案はこのような課題を解決するためになされたものであって、上記のような従来型の宣伝広告ではなく、スライド片部をスライドさせることでディスプレイ表示内容を変化させ、意外性と不思議感を与え、または驚きを与えることで、インパクトがありメッセージを強く印象付けることができる斬新で宣伝広告効果が高いディスプレイ装置を提供することにある。  
また、加工し易く構成が簡易であることにより製造コストを嵩ませることがないディスプレイ装置を提供することにある。  
【課題を解決するための手段】
【０００４】
上記課題を解決するために、請求項１記載の考案にあっては、一端部に厚さ方向開口部を有すると共に表面部側にはディスプレイ開口部が形成された薄型袋状部と、上記薄型袋状部内に、上記厚さ方向開口部から外方へ引き出し可能に収納されるスライド片部とを有し、上記薄型袋状部内には厚さ方向中間部に、上記ディスプレイ開口部を被覆しうる被覆片部が設けられ、上記スライド片部は、上記被覆片部と厚さ方向における反ディスプレイ開口部側の袋状部構成部材との間に配置される基片部と、上記基片部の引き出し方向先端部側に固定され、上記被覆片部と上記ディスプレイ開口部との間に配置される透明シート部とを有し、上記透明シート部の引き出し方向一端部側には第一のディスプレイ表現が記載されると共に、上記基片部の引き出し方向他端部側には第二のディスプレイ表現が記載されていることを特徴とする。  
すなわち、上記スライド片部が上記薄型袋状部に収納された場合には、上記基片部は上記被覆片部に被覆されると共に、上記透明シート部は上記ディスプレイ開口部から外面に露出される。
一方、上記スライド片部が上記薄型袋状部から外方へ引き出された場合には、上記透明シート部は上記基片部の引き出し方向先端部側に固定されているので、上記基片部は上記透明シート部に被覆されながら外方へ引き出されていく。
したがって、上記透明シート部に記載されている上記第一のディスプレイ表現は常に露出されており視認可能である。上記スライド片部が上記薄型袋状部から外方へ引き出された場合には、上記基片部が上記透明シートに被覆されながら引き出されるので、外方に引き出された上記スライド片部表面に上記透明シート部に記載されている上記第一のディスプレイ表現及び上記基片部に記載されている上記第二のディスプレイ表現が重合されて表現される。
【０００５】
請求項２記載の考案にあっては、上記薄型袋状部は平面長方形状に形成されると共に上記ディスプレイ開口部も平面長方形状に形成され、上記スライド片部も長方形状に形成されていることを特徴とする。
すなわち、収納時には上記ディスプレイ装置は、平面長方形状に形成されるので、取り扱いが簡易であり、携帯性に優れる。
【０００６】
請求項３記載の考案にあっては、上記第一のディスプレイ表現と上記第二のディスプレイ表現とは、相互に関連する内容が記載されていることを特徴とする。
すなわち、上記第一のディスプレイ表現は、上記第二のディスプレイ表現の出現または消滅により関連付けられる内容が記載されている。
【０００７】
請求項４記載の考案にあっては、上記第一のディスプレイ表現は上記透明シート部の引き出し方向後端部側に折れ線グラフの所定部位までが記載されると共に、上記第二のディスプレイ表現は、上記基片部の引き出し方向先端部側の上記所定部位に連続する折れ線グラフが記載されている。
すなわち、上記スライド片部が上記薄型袋状部から外方へ引き出される場合には、外方に引き出された上記スライド片部表面に上記第一のディスプレイ表現及び第二のディスプレイ表現が重合され表現されるので、外方に引き出された上記スライド片部表面には、上記折れ線グラフの上記所定部位において連続する折れ線グラフが表現される。
【０００８】
請求項５記載の考案にあっては、上記ディスプレイ開口部の端部に、上記スライド片部の把持部を把持しうる切り欠き部を有することを特徴する。
すなわち、上記スライド片部を上記薄型袋状部から外方へ引き出す際に、上記把持部を把持することができる。  
【０００９】
請求項６記載の考案にあっては、上記基片部は、上記スライド片部が引き出された場合に、上記厚さ方向開口部の両端に係合しうるストッパ部が形成されることを特徴とする。
すなわち、上記スライド片部が最後まで引き出された場合であっても上記ストッパ部により、上記薄型袋状部及び上記スライド片部が分離することはない。
【００１０】
請求項７記載の考案にあっては、上記薄型袋体部と、上記基片部は厚紙により形成されていることを特徴とする。
すなわち、上記薄型袋体部と、上記基片部は厚紙により構成されているので構成が簡易である。
【考案の効果】
【００１１】
請求項１記載の考案にあっては、薄型袋状部内には厚さ方向中間部に、ディスプレイ開口部を被覆しうる被覆片部が設けられ、スライド片部は、被覆片部と厚さ方向における反ディスプレイ開口部側の袋状部構成部材との間に配置される基片部と、基片部の引き出し方向先端部側に固定され、被覆片部とディスプレイ開口部との間に配置される透明シート部とを有し、透明シート部の引き出し方向一端部側には第一のディスプレイ表現が記載されると共に、基片部の引き出し方向他端部側には第二のディスプレイ表現が記載されているので、収納時に被覆片に被覆されていた第二のディスプレイ表現が、スライド片部が外方へ引き出された場合には、透過性を有する透明シート部に記載された第一のディスプレイ表現と重合して引き出された部分のスライド片部表面に表現される。
したがって、ディスプレイ表現内容をスライド片部の収納時と引き出し時において変化させ、スライド片部を引き出すことにより意外性と不思議感を与え、または驚きを与えることで、通常イメージする宣伝広告媒体とは異なった意外性のある表現により、スライド片部を引き出した者にインパクトを与えうる斬新で宣伝広告効果の高いディスプレイ装置を提供することができる。
【００１２】
請求項２記載の考案にあっては、薄型袋状部は平面長方形状に形成されると共にディスプレイ開口部も平面長方形状に形成され、スライド片部も長方形状に形成されているので、取り扱いが簡易であり、携帯性に優れ、ダイレクトメールによる郵送も容易である。
【００１３】
請求項３記載の考案にあっては、第一のディスプレイ表現と第二のディスプレイ表現とは、相互に関連する内容が記載されているので、関連する内容が引き出されたスライド片部表面に突如出現することにより、第一のディスプレイ表現との関連による相乗効果から更なる宣伝広告効果が生じ、スライド片部を引き出した者にインパクトを与えうる斬新で宣伝広告効果の高いディスプレイ装置を提供することができる。
【００１４】
請求項４記載の考案にあっては、第一のディスプレイ表現は上記透明シート部の引き出し方向後端部側に折れ線グラフの所定部位までが記載されると共に、第二のディスプレイ表現は、基片部の引き出し方向先端部側に所定部位に連続する折れ線グラフが記載されているので、折れ線グラフの、例えば、経時変化の推移を表現でき、スライド片部を引き出した者にインパクトを与えうる斬新で宣伝広告効果の高いディスプレイ装置を提供することができる。
【００１５】
請求項５記載の考案にあっては、ディスプレイ開口部の端部に、スライド片部の把持部を把持しうる切り欠き部を有するので、容易にスライド片部を外方へ引き出すことができ、スライド片部を引き出した者に宣伝広告効果の高いディスプレイ表現を容易に実感させることができる。
【００１６】
請求項６記載の考案にあっては、基片部は、スライド片部が引き出された場合に、厚さ方向開口部の両端に係合しうるストッパ部が形成されているので、薄型袋状部及びスライド片部が分離することはないので、広告表示内容が突如変化する仕組みについてスライド片部を引き出した者に分かりにくくすることにより、不思議感を増大させ、宣伝広告効果をより高めることができる。
【００１７】
請求項７記載の考案にあっては、上記薄型袋体部と、上記基片部は厚紙により形成されているので、安価で加工し易く軽量なディスプレイ装置を提供することができる。
【考案を実施するための最良の形態】
【００１８】
以下、図面を用いて本考案の実施の形態について説明する。
図１〜図3に示すように、本実施の形態に係るディスプレイ装置１０は、一端部に厚さ方向開口部１３を有すると共に表面部側にはディスプレイ開口部１４が形成された薄型袋状部１１と、上記薄型袋状部１１内に、上記厚さ方向開口部１３から外方へ引き出し可能に収納されるスライド片部１２とを有し、上記薄型袋状部１１内には厚さ方向中間部に、図５に示すように、上記ディスプレイ開口部１４を被覆しうる被覆片部１６が設けられ、上記スライド片部１２は、上記被覆片部１６と厚さ方向における反ディスプレイ開口部１４側の袋状部構成部材１５との間に配置される基片部１７と、上記基片部１７の引き出し方向先端部側に固定され、上記被覆片部１６と上記ディスプレイ開口部１４との間に配置される透明シート部１８とを有し、図4に示すように、上記透明シート部１８の引き出し方向一端部側１９には第一のディスプレイ表現２１が記載されると共に、上記基片部１７の引き出し方向他端部側２０には第二のディスプレイ表現２２が記載されている。
【００１９】
また、図１〜図３に示すように、上記薄型袋状部１１は平面長方形状に形成されると共に上記ディスプレイ開口部１４も平面長方形状に形成され、上記スライド片部１２も長方形状に形成されている。
【００２０】
また、図４に示すように、上記第一のディスプレイ表現２１と上記第二のディスプレイ表現２２とは、相互に関連する内容が記載されている。
【００２１】
また、図１〜図３に示すように、上記ディスプレイ開口部１４の端部に、上記スライド片部を把持しうる切り欠き部２５を有する。
【００２２】
また、上記基片部１７は、上記スライド片部１２が引き出された場合に、上記厚さ方向開口部１３の両端に係合しうるストッパ部２６が形成される。
【００２３】
また、上記薄型袋体部１１と、上記基片部１７は厚紙により形成されている。
【実施例１】
【００２４】
以下に、本実施例１について詳細を説明する。
まず、図１〜図３に示すように、ディスプレイ装置１０は、表面部側に平面長方形状に形成されているディスプレイ開口部１４が形成された平面長方形状に形成されている薄型袋状部１１内に、厚さ方向開口部１３から外方へ引き出し可能に収納される長方形状に形成されているスライド片部１２を有する。
【００２５】
上記薄型袋状部１１内には、図５に示すように、厚さ方向中間部に、上記ディスプレイ開口部１４を被覆しうる被覆片１６が設けられている。
【００２６】
上記スライド片部１２は、図４に示すように、基片部１７と上記基片部１７の引き出し方向先端部側に固定される透明シート部１８とを有し、上記基片部１７は、図５に示すように、被覆片部１６と厚さ方向における反ディスプレイ開口部側の袋状部構成部材１５との間に配置され、上記透明シート部１８は上記被覆片部１６とディスプレイ開口部１４との間に配置される。
ここで、図５に示すように、例えば上記基片部１７の引き出し方向先端部側において、上記基片部及び上記透明シート部１８を接着テープ２７で固定する。
【００２７】
また、図４に示すように、上記透明シート部１８の引き出し方向後端部側１９には折れ線グラフからなる第一のディスプレイ表現１９が記載され、上記基片部１７の引き出し方向先端部側２０には上記第一のディスプレイ表現１９と関連する折れ線グラフからなる第二のディスプレイ表現２２が記載されている。
【００２８】
そして、上記折れ線グラフ２１，２２は、図３に示すように、上記基片部１７が上記透明シート部１８に被覆されている場合には、折れ線グラフの所定部位２３ａ，２４ｂにおいて連続する折れ線グラフとなる。
【００２９】
以下に上記実施例１の作用について説明する。
図１に示すように、スライド片部１２は薄型袋状部１１に収納されている場合には、ディスプレイ開口部１４には、基片部１７が被覆片部１６に被覆されていることから、透明シート部１８上の第一のディスプレイ表現１９が表現される。
【００３０】
そして、スライド片部１２が厚さ方向開口部１３から外方へ引き出された場合には、図２及び図５に示すように、外方へ引き出されたスライド片部１２の基片部１７は透過性を有する透明シート部１８に被覆される。
したがって、外方へ引き出されたスライド片部１２表面には、基片部１７に記載された第一のディスプレイ表現１９と透明シート部１８に記載された第二のディスプレイ表現２２が重合されたディスプレイ表現がされる。
【００３１】
このように、図１から図２を経て図３の状態へ移行する際に、外方へ引き出されたスライド片部１２表面には、収納時には、スライド片部１１の引き出し方向先端部には折れ線グラフが表現されていないにもかかわらず、外方へ引き出された場合には、スライド片部１２表面の引き出し方向先端部に所定部分２３ａ，２３ｂで連続する折れ線グラフが徐々に変化していく様子が表現される。
すなわち、収納時には経時的変化の途中まで表されている折れ線グラフがディスプレイ開口部１４に表現されており、その後スライド片部１２を引き出すことで、徐々に変化していく折れ線グラフの経時的変化が表現され、すでに表現されている折れ線グラフに上記所定部分２３ａ，２３ｂで連続する。
したがって、ディスプレイ表現が意外性のある変化をすることにより、意外性と不思議感を与え、宣伝広告効果の高いディスプレイ装置を提供することができる。
【実施例２】
【００３２】
以下に、本実施例２について、実施例１と異なる点についての詳細を説明する。
スライド片部１２には、図６に示すように、上記透明シート部１８の引き出し方向先端部側には左向き横顔からなる第一のディスプレイ表現２９が記載され、上記基片部１７の引き出し方向後端部側には上記第一のディスプレイ表現２１と関連する右向き横顔からなる第二のディスプレイ表現３０が記載されている。
【００３３】
以下に上記実施例２の作用について説明する。
図７に示すように、スライド片部１２が薄型袋状部１１に収納されている場合には、ディスプレイ開口部１４には透明シート部１８上の左向き横顔からなる第一のディスプレイ表現２９が表現される。
図８に示すように、スライド片部１２が引き出された場合には、スライド片部１２表面には収納時にスライド片部１２の引き出し方向先端部に左向き横顔が表現され後端部には何も表現されていなかったにもかかわらず、外方へ引き出された後には、スライド片部１２の引き出し方向後端部に右向き横顔が表現される。
すなわち、収納時には一人の人物の横顔がディスプレイ開口部１４に表現されており、その後スライド片部１２を引き出すことで、向き合うもう一人の人物が突如登場する。
したがって、ディスプレイ表現が意外性のある変化をすることにより、意外性と不思議感を与え、宣伝広告効果の高いディスプレイ装置を提供することができる。
【００３４】
また、本実施の形態においては記載されていないが、例えば、スライド片部を引き出すことにより隠された文字等のメッセージが表現されるディスプレイ装置として構成することもできる。
【産業上の利用可能性】
【００３５】
本考案は、広くディスプレイ装置に適用することができる。
【図面の簡単な説明】
【００３６】
【図１】本考案に係るディスプレイ装置の薄型袋状部への収納時における一実施の形態を示す斜視図である。
【図２】本考案に係るディスプレイ装置のスライド片部を外方へ引き出した場合における一実施の形態を示す斜視図である。
【図３】本考案に係るディスプレイ装置のスライド片部を外方へ引き出した場合における一実施の形態を示す斜視図である。
【図４】本考案に係るディスプレイ装置のスライド片部の構成を示す一実施の形態を示す斜視図である。
【図５】本考案に係るディスプレイ装置のスライド片部を外方へ引き出した場合における一実施の形態を示す断面図である。
【図６】本考案に係るディスプレイ装置のスライド片部の構成を示す実施例２の形態を示す斜視図である。
【図７】本考案に係るディスプレイ装置の薄型袋状部への収納時における実施例２の形態を示す斜視図である。
【図８】本考案に係るディスプレイ装置のスライド片部を外方へ引き出した場合における実施例２の形態を示す斜視図である。
【符号の説明】
【００３７】
１０    ディスプレイ装置
１１    薄型袋状部
１２    スライド片部
１３    厚さ方向開口部
１４    ディスプレイ開口部
１５    反ディスプレイ開口部側の袋状部構成部材
１６    被覆片部
１７    基片部
１８    透明シート部
１９    透明シート部の引き出し方向一端部側
２０    基片部の引き出し方向他端部側
２１    第一のディスプレイ表現
２２    第二のディスプレイ表現
２３ａ  折れ線グラフ所定部位
２３ｂ  折れ線グラフ所定部位
２４    ディスプレイ開口部の端部
２５    切り欠き部
２６    ストッパ部
２７    接着テープ
２８    把持部
２９    第一のディスプレイ表現
３０    第二のディスプレイ表現
【図１】
0003132784.tif 000003
【図２】
0003132784.tif 000004
【図３】
0003132784.tif 000005
【図４】
0003132784.tif 000006
【図５】
0003132784.tif 000007
【図６】
0003132784.tif 000008
【図７】
0003132784.tif 000009
【図８】
0003132784.tif 000010